(57)【要約】【課題】コストを低減可能であって意匠性が良好な放電ランプを覆う透光性カバーを有する照明器具を提供する。【解決手段】照明器具１は、器具本体２と、発光部９が器具本体２の長手方向に沿うように配設された放電ランプ３と、放電ランプ３を覆うように器具本体２に取付けられ、放電ランプ３の電極８に対向する部位より端部側の光拡散性が残余の部分４Ｂよりも上昇するように形成された光拡散部４Ａを有する透光性カバー４とを具備している。【選択図】図１
2007103096.tif 000002
【特許請求の範囲】
【請求項１】
器具本体と；
発光部が器具本体の長手方向に沿うように配設された放電ランプと；
放電ランプを覆うように器具本体に取付けられ、放電ランプの電極に対向する部位より端部側の光拡散性が残余の部分よりも上昇するように形成された光拡散部を有する透光性カバーと；
を具備していることを特徴とする照明器具。
【請求項２】
少なくとも放電ランプの発光部に対向するように器具本体に配設された反射体と；を具備し、
透光性カバーは、光拡散部が反射体の端部を覆うように形成されていることを特徴とする請求項１記載の照明器具。
【発明の詳細な説明】
【技術分野】
【０００１】
本発明は、放電ランプを覆う透光性カバーが配設される照明器具に関する。
【背景技術】
【０００２】
照明器具内に虫や埃などが侵入しないようにしている密閉形の照明器具が提供されている。例えば、直管形蛍光ランプを配設した箱形の器具本体が天井に埋め込まれ、器具本体の照射開口に透光性カバーが配設されている埋込形照明器具が提供されている（非特許文献１参照。）。この埋込形照明器具は、透光性カバーと天井面とが略同一面となっているので、デザインが良好となっている。また、蛍光ランプの点灯時、不点灯時に係らず、透光性カバーを介して器具本体内を視認できるので、ランプソケットの近くに遮蔽用端板などを配設することにより、ランプソケットへのリード線や内部構成部品を視認できないようにして意匠性を向上させている。
【非特許文献１】松下電工（株）クリーンフーズベースライト、２００５−２００７施設・店舗・屋外照明カタログ、カタログＮＯ．照Ａ−１９４、２００５年３月発行、ｐ．２８８
【発明の開示】
【発明が解決しようとする課題】
【０００３】
特許文献１の照明器具は、遮蔽用端板などを配設して内部構成部品を視認できないようにしているので、遮蔽用端板などの配設工程や遮蔽用端板などを要する分コストアップするという欠点を有する。
【０００４】
本発明は、コストを低減可能であって意匠性が良好な放電ランプを覆う透光性カバーを有する照明器具を提供することを目的とする。
【課題を解決するための手段】
【０００５】
請求項１に記載の照明器具の発明は、器具本体と；発光部が器具本体の長手方向に沿うように配設された放電ランプと；放電ランプを覆うように器具本体に取付けられ、放電ランプの電極に対向する部位より端部側の光拡散性が残余の部分よりも上昇するように形成された光拡散部を有する透光性カバーと；を具備していることを特徴とする。
【０００６】
本発明および以下の発明において、特に言及しない限り、各構成は以下による。
【０００７】
器具本体は、箱状、板状などの形状を問わない。
【０００８】
放電ランプの形状は、直管状、蛇行状、螺旋状などを問わない。放電ランプとして、例えば直管形蛍光ランプ、中間がＵ字状に屈曲されたコンパクト形蛍光ランプなどを用いることができる。
【０００９】
「放電ランプを覆うように」とは、放電ランプのみならず、ランプソケット、反射板など、要するに器具本体に取り付けられる内部構成部品が透光性カバーにより覆われることを意味する。
【００１０】
「残余の部分」とは、透光性カバーの光拡散部を除く部分をいう。
【００１１】
「光拡散性が上昇するように形成する」とは、例えば、透光性カバーの内面を曇り仕上げにすることである。その方法は、例えば透光性カバーを成形する金型の透光性カバーの光拡散部に相当する部分をサンドペーパーで研磨して模様を付ける、成形後の透光性カバーの端部側をサンドペーパーで研磨する、透光性カバーの端部側を塗装や梨地処理するなどのいずれであってもよい。
【００１２】
本発明によれば、透光性カバーの放電ランプの電極に対向する部位より端部側の光拡散部は、放電ランプの放射光の残光が照射され、その光量が非常に小さいものであって、さらに、光拡散性が残余の部分よりも低下するように形成されているので、光拡散部より放射される放電ランプの光量はさらに小さくなる。一方、透光性カバーの光拡散部を除く残余の部分は、放電ランプの発光部に対向しているので、多量の放射光が透過される。すなわち、光拡散部は、光拡散性が残余の部分よりも上昇するように形成されて、放電ランプから照射される残光の透過量が非常に小さくなるので、光拡散部を介して、外部から照明器具の内部を視認しづらくなる。また、放電ランプが消灯しているときは、光拡散部に放電ランプからの残光が照射されないので、光拡散部を介して、さらに外部から照明器具の内部を視認しづらくなる。
【００１３】
そして、放電ランプは、電極が発光管の端面から発光管内部に延在して設けられているので、例えば照明器具が天井に配設され照明器具を斜め方向から見上げたときに、光透過性が低下している光拡散部により照明器具の内部を視認することが遮られ、発光管の端部に設けられている口金あるいはランプソケットを視認するに留まる。
【００１４】
請求項２に記載の照明器具の発明は、請求項１記載の照明器具において、少なくとも放電ランプの発光部に対向するように器具本体に配設された反射体と；を具備し、透光性カバーは、光拡散部が反射体の端部を覆うように形成されていることを特徴とする。
【００１５】
本発明によれば、反射体は、少なくとも放電ランプの発光部に対向しているので、発光部から反射体側に放射された放射光は、反射体により器具本体の前面側に反射される。そして、透光性カバーの光拡散部が反射体の端部を覆うので、外部から反射体よりも照明器具の内部側が見えなくなる。また、光拡散部は、光拡散性が上昇されて光透過量を減少させるので、放電ランプから光拡散部に照射された光の多くが熱となって照明器具の端部側の内部温度を上昇させる。これにより、放電ランプの発光部側の内部温度との温度差が小さくなって、照明器具の内部温度が略均一となり、放電ランプが安定して点灯する。
【発明の効果】
【００１６】
請求項１の発明によれば、透光性カバーの放電ランプの電極に対向する部位より端部側の光拡散性が残余の部分よりも上昇するように形成された光拡散部を有することにより、光拡散部に対向する照明器具の内部を外部から視認しづらくなるので、ランプソケットへのリード線や内部構成部品を遮蔽する遮蔽用端板などを設ける必要がなくなり、照明器具のコストを低減させることができる。
【００１７】
そして、放電ランプの非発光部に対向する照明器具内を直接視認することができなくなっていることと、透光性カバー全体は、概して放電ランプからの放射光により明るくなるので、透光性カバーの意匠性を向上させることができ、照明器具の商品価値を向上させることができる。
【００１８】
請求項２の発明によれば、光拡散部からの光透過量が低くなる分、照明器具の光拡散部の箇所の内部温度が上昇するので、照明器具内の温度が略均一となり、放電ランプの点灯を安定化することができて、照明器具から略均一な配光を得ることができる。
【発明を実施するための最良の形態】
【００１９】
以下、本発明の一実施の形態について、図面を参照して説明する。まず、本発明の第１の実施形態について説明する。
【００２０】
図１は、本発明の第１の実施形態の照明器具を示し、（ａ）は概略正面図、（ｂ）は概略平面図である。照明器具１は、天井などの造営物に直付けされる直付照明器具であり、器具本体２、放電ランプとしてのコンパクト形蛍光ランプ３、透光性カバー４および反射体５を有して形成されている。
【００２１】
器具本体２は、例えば鋼板からなり、長方形状に形成されている。そして、複数の取付孔（図示しない。）が設けられていて、当該取付孔を介して造営物に取付けられている。器具本体２は、前面側にアルミニウム（Ａｌ）からなり、長方形であって断面逆台形状に折曲された反射板５をねじ（図示しない。）により取付けている。また、一端部側２ａにランプソケット６を取付けている。ランプソケット６は、図示しないリード線により点灯装置（図示しない。）に接続されている。反射板５は、器具本体２の他端部側２ｂにおいてランプホルダー７を取付けている。
【００２２】
コンパクト形蛍光ランプ３は、２本の直管バルブを一端側で接合し、２本の直管バルブのそれぞれの他端側に電極としてのフィラメント電極８を封装する発光管９を有し、２本の直管バルブの他端側に口金１０を配設している。そして、発光管９の管径は１７．５ｍｍ、管長は１１５０ｍｍであり、コンパクト形蛍光ランプ３の定格ランプ電力は１０５Ｗである。
【００２３】
コンパクト形蛍光ランプ３は、口金１０がランプソケット６に装着され、発光管９の一端側９ａがランプホルダー７に支持されている。これにより、発光管９（コンパクト形蛍光ランプ３の発光部）は、器具本体２の長手方向に沿うように配設されて、反射体５に対向する。
【００２４】
反射体５は、コンパクト形蛍光ランプ３の少なくとも発光部（発光管）９に対向して器具本体２に配設されている。これにより、コンパクト形蛍光ランプ３から器具本体２の背面側に放射された光は、反射板５で反射され、器具本体２の前面側に出射される。コンパクト形蛍光ランプ３は、点灯装置により高周波点灯される。
【００２５】
透光性カバー４は、例えばアクリルからなり、長手方向が略皿状に形成され、横断面形状が略Ｕ字状に形成されているとともに、周囲に鍔部４ａが設けられている。透光性カバー４は、鍔部４ａを含めた縦横の大きさが器具本体２と略同等になるように形成されている。そして、長手方向の鍔部４ａには、複数の孔が設けられているとともに、孔を有する押え板１１が複数個載置されている。そして、押え板１１の孔と鍔部４ａの孔とを合わせて、押え板１１からねじ１２を挿入し、ねじ１２を器具本体２に形成されているねじ孔にねじ込むことにより、透光性カバー４は、器具本体２に取付けられている。このとき、コンパクト形蛍光ランプ３、反射板５およびランプソケット６などの内部構成部品は、透光性カバー４により覆われている。
【００２６】
そして、透光性カバー４は、コンパクト形蛍光ランプ３のフィラメント電極８に対向している部位より端部側部分の光拡散性が端部側部分を除く残余の部分（以下、残余の部分という。）４Ｂの光拡散性よりも上昇するように形成された光拡散部４Ａを有している。この光拡散部４Ａは、曇り仕上げされている。例えば、光拡散部Ａの光拡散の程度は、残余の部分４Ｂの２０％以下となっている。また、光拡散部４Ａは、反射体５がコンパクト形蛍光ランプ３の少なくとも発光部（発光管）９に対向して配設されているので、反射体５の少なくとも端部を覆っている。
【００２７】
曇り仕上げは、透光性カバー４の光拡散部４Ａに相当する金型部分をサンドペーパーで研磨し、その後、透光性カバー４を成形することにより形成される。そして、曇り仕上げは、透光性カバー４の内面側に形成されている。また、曇り仕上げは、透光性カバー４の両側に形成されている。透光性カバー４を器具本体２に配設するときに、取付けの方向性を持たせないようにするここと、意匠性を持たせるためである。
【００２８】
次に、本発明の第１の実施形態の作用について述べる。
【００２９】
点灯装置がコンパクト形蛍光ランプ３を点灯すると、コンパクト形蛍光ランプ３からの放射光は、透光性カバー４の残余の部分４Ｂから外部に出射される。そして、放射光の残光が透光性カバー４の光拡散部４Ａに照射される。光拡散部４Ａは、透光性カバー４のコンパクト形蛍光ランプ３のフィラメント電極８に対向する部位より端部側であるので、残光量が非常に少ない。加えて、光拡散部４Ａは、曇り仕上げされて光拡散性が上昇しているので、光拡散部４Ａを透過する前記残光量はさらに減少する。
【００３０】
光拡散部４Ａを透過する光量が少なくなるにつれ、光拡散部４Ａを介して照明器具１の内部は視認しづらくなるものであり、上記のように、光拡散部４Ａを透過する残光量が非常に少ないと、照明器具１の内部を視認することが困難となる。また、光拡散部４Ａは、反射体５の端部を覆うので、外部から反射体５よりも照明器具１の内部側を見えなくしている。
【００３１】
また、光拡散部４Ａは、コンパクト形蛍光ランプ３のフィラメント電極８に対向する部位まで形成されているので、照明器具１を斜め方向から見上げたときに、光透過性が低下している光拡散部４Ａから照明器具１の内部を視認することが遮られる。そして、残余の部分４Ｂを介して照明器具１の内部を見ても、光拡散部４Ａが目線と鉛直方向の角度（視角）を大きくするので、照明器具１の内部の端部側は遠方からでないと見えなく、通常では、コンパクト形蛍光ランプ３の口金１０あるいはランプソケット６を視認するに留まるものである。
【００３２】
そして、コンパクト形蛍光ランプ３が消灯しているときは、照明器具１の内部は、外光による照明によるので暗く、照明器具１の内部の視認は、より困難となる。
【００３３】
そして、光拡散部４Ａは、上記で説明したように、光拡散性が上昇されて光透過量を減少させるので、コンパクト形蛍光ランプ３から光拡散部４Ａに照射された光の多くが熱となって照明器具１の端部側の内部温度を上昇させる。これにより、コンパクト形蛍光ランプ３の発光部９側の内部温度との温度差が小さくなり、照明器具１は、内部温度が略均一となる。この結果、コンパクト形蛍光ランプ３は、安定的に点灯するようになる。
【００３４】
上述したように、照明器具１の内部の端部側は、透光性カバー４を介して視認しづらくなっているので、端部側に配設されているランプソケット６へのリード線や内部構成部品などを遮蔽する遮蔽用端板が設けなくすることができる。したがって、その分コストを低減することができる。加えて、透光性カバー４は、光拡散部４Ａと残余の部分４Ｂに形成され、両者の明るさの調和により、意匠性が向上している。この結果、照明器具１の商品価値を向上させることができる。
【００３５】
そして、照明器具１の端部側の内部温度が光拡散部４Ａの作用により上昇して、照明器具１全体の内部温度が略均一となることにより、コンパクト形蛍光ランプ３が安定して点灯し、照明器具１からの均一な配光を得ることができる。
【００３６】
次に、本発明の第２の実施形態について説明する。
【００３７】
図２は、本発明の第２の実施形態を示す照明器具の概略縦断面図である。なお、図１と同一部分には同一符号を付して説明は省略する。
【００３８】
図２に示す照明器具１３は、防水形照明器具であり、図１に示す照明器具１において、器具本体１４の周部に形成されている段差の角部にパッキン１５が配設され、パッキン１５上に透光性カバー４および押え板１１が配置されている。
【００３９】
透光性カバー４および押え板１１は、それぞれの孔１６，１７にステンレスからなる防水用のねじ（図示しない。）が挿通され、器具本体１４に共締めされている。この共締めにより、パッキン１５が押圧されて、パッキン１５と器具本体１４および透光性カバー４のそれぞれの間から水分が照明器具１３の内部に侵入することが阻止されている。なお、図中、１８はコンパクト形蛍光ランプ３を高周波点灯させる点灯装置である。
【図面の簡単な説明】
【００４０】
【図１】本発明の第１の実施形態の照明器具を示し、（ａ）は概略正面図、（ｂ）は概略平面図。
【図２】本発明の第２の実施形態を示す照明器具の概略縦断面図。
【符号の説明】
【００４１】
１，１３…照明器具
２…器具本体
３…放電ランプとしてのコンパクト形蛍光ランプ
４…透光性カバー
５…反射体
【図１】
2007103096.tif 000003
【図２】
2007103096.tif 000004